(57)【要約】【課題】展開された状態において硬化される容易に折りたためる構造体を提供する。【解決手段】この構造体は、直立部１と、軸Ｘ−Ｘ’に沿って直立部１上をスライドするスライドブロック３と、関節連結構造体７と連合した少なくとも一本の折りたためる脚５とを備えている。この構造体は、前記軸Ｘ−Ｘ’とは異なる方向Ｙ−Ｙ’に見て、展開三角形２１を備えており、これは、直立部１に位置している第一の関節２３とスライドブロック３の一点に位置している第二の関節２５とによって定められた第一の辺２２を有している。第一の関節２５または第二の関節２３は前記方向Ｙ−Ｙ’に離れた二点の関節３５を有しており、これら二点３５において関節連結された展開三角形２１の辺は硬質ガイド三角形２９を構成し、それはこれら二点３５と第三の関節３１とによって定義される。ベビーカーの折りたためる構造体への応用。
2006514903.tif 000002
【特許請求の範囲】
【請求項１】
赤ん坊や乳児の乗り物を含むがこれに限定されるものではない、折りたためる構造体であって、
直立部（１）と、
軸（Ｘ−Ｘ’）に沿って直立部（１）上をスライドするスライドブロック（３）であって、この軸の周りの回転が防止されているスライドブロック（３）と、
直立部に近い折りたたまれた状態から、直立部（１）から離れた展開された状態に展開される、少なくとも一本の折りたためる脚（５,５Ａ）と、
脚の展開のための関節連結構造体（７,７Ａ）とを備えており、これは、前記軸（Ｘ−Ｘ’）と異なる方向（Ｙ−Ｙ’）に見て、関節連結展開三角形（２１）を備えており、この展開三角形（２１）は、
直立部（１）上に位置している第一の関節（２３）とスライドブロック（３）の一点に位置している第二の関節（２５）との間において直立部（１）に取り付けられた第一の辺（２２）と、
第二の関節（２５）によってスライドブロック（３）に関節連結された第二の辺（２６）と、
第一の関節（２３）によって直立部（１）に関節連結され、また第三の関節（３１）によって第二の辺（２６）に関節連結された第三の辺（２８）とを備えており、第一の関節（２３）または第二の関節（２５）は方向（Ｙ−Ｙ’）に二つの別の関節連結点（３５）を有し、これらの点（３５）において関節連結された展開三角形（２１）の辺（２８,２６）は硬質ガイド三角形（２９）を構成しており、それはこれらの二点（３５）と第三の関節（３１）とによって定められる。
【請求項２】
請求項１に記載の構造体において、硬質ガイド三角形（２９）は三つの辺部材を有し、前記辺部材の一つは前記方向（Ｙ−Ｙ’）に従うちょうつがい軸と一致し、ほかの二つの辺部材は互いに固定されている。
【請求項３】
請求項１または２に記載の構造体において、ガイド三角形（２９）の頂点（３５,３１）により定まる表面はプレート（２９）などの固体の表面である。
【請求項４】
請求項１または２に記載の構造体において、ガイド三角形（２９）の頂点（３５,３１）により定まる表面は切り抜き表面である。
【請求項５】
請求項１ないし４のいずれか一つに記載の構造体において、脚（５）は展開三角形（２１）の第二の辺と一体化している。
【請求項６】
請求項１ないし４のいずれかに記載の構造体において、脚（５Ａ）は展開三角形（２１）の第三の辺（２８）にまたはこの辺（２８）の延長線に関節連結されており、支持部（４３）は（ｉ）スライドブロック（３）と（ｉｉ）脚の中間点（５Ａ）との間に関節連結されている。
【請求項７】
請求項６に記載の構造体において、展開された状態において、支持部（４３）はガイド三角形（２９）の一部の上にもたれている。
【請求項８】
請求項１ないし７のいずれか一つに記載の構造体において、少なくとも二本の折りたためる脚（５Ａ）を備えており、さらに可倒式硬化手段（５１）を備え、これは、二本の脚（５Ａ）に関節連結されていて、スライドブロック（３）に関節連結された連結支持体（６２）の動作によって折りたためる。
【請求項９】
請求項８に記載の構造体において、硬化手段（５１）は、展開された状態において、ベビーカーシート（８１）を支持する、および／または、フットレストとして機能するようになっている。
【請求項１０】
請求項８に記載の構造体において、スライドブロック（３）はベビーカーバックレスト（８３）を支持するようになっている。
【請求項１１】
請求項１ないし１０のいずれか一つに記載の構造体において、前記方向（Ｙ−Ｙ’）は水平線に対して傾いており、前記方向（Ｙ−Ｙ’）は前記軸（Ｘ−Ｘ’）と９０°未満の角度を成している。
【請求項１２】
請求項１ないし１０のいずれか一つに記載の構造体において、棒（９）の一本以上が、スライドブロック（３）を中央直立部（１）に連結しているスプリング機構を有しており、構造体の展開またはその折りたたみがスライドブロック（３）の単純な解錠によって自動的になされる。
【請求項１３】
折りたためる構造体であり、脚（５、５Ａ）のおのおのに対して、請求項１〜１０のいずれか一つに定義される関節連結構造体（７、７Ａ）を備えている。
【発明の詳細な説明】
【技術分野】
【０００１】
この発明は折りたためる構造体に関しており、ベビーカーを含むがこれに限定されるものではない。
【背景技術】
【０００２】
この構造体は、
直立部と、
軸に沿って直立部上をスライドするスライドブロックであって、この軸の周りの回転が防止されているスライドブロックと、
直立部に近い折りたたまれた状態から、直立部から離れた展開された状態に展開する、少なくとも一本の折りたためる脚と、
脚の展開のための関節連結構造体とを備えており、これは、前記軸とは異なる方向に見て、関節連結展開三角形を備えており、この展開三角形は、
直立部上に位置している第一の関節とスライドブロックの一点に位置している第二の関節との間において直立部に取り付けられた第一の辺と、
第二の関節によってスライドブロックに関節連結された第二の辺と、
第一の関節によって直立部に関節連結され、また第三の関節によって第二の辺に関節連結された第三の辺とを備えている。
【０００３】
このような構造体はＦＲ２．２５９．００１から知られている。このタイプの構造体は、ベビーカーなど、折りたためる構造体の比較的単純な展開を可能にしている。実際、ベビーカーの脚の展開は、直立部に沿ったスライドブロックのまっすぐな直線的な動きによってなされる。
【０００４】
このタイプの折りたたみは、傘と同様に、構造体の展開された状態に達するために複数の展開動作が実施されなければならないという、現在のいわゆる「傘折り」乳母車に知られている不便さを避けることを可能にする。
【０００５】
しかしながら、前述のタイプのシートは完全に満足できるものではない。事実、このようなシートの展開三角形の第二の関節連結辺と第三の関節連結辺は単純な連結バーで構成されている。これらの連結バーは簡単なちょうつがいを介してそれぞれスライドブロックと直立部に連結されている。このため展開された状態における構造体の硬さは連結バーとちょうつがいの組み合わせによる。従って、もしこれらのちょうつがいが丈夫でないなら、展開三角形、従って関連する脚、は、直立部に対する周囲硬さに欠けるであろう。スライドブロックと一体化した溝型支持構造を持つ単一ブロック構造体など、ちょうつがいのための複雑な硬化手段を使用する必要がある。
【０００６】
従来の技術はまた特許ＦＲ２．１６７．５９４を含んでおり、これは硬質ガイド三角形を持たない折りたためる構造体を開示している。単なる想像上のガイド三角形は、（ｉ）（ベビーカーの直線的展開軸を定めている）Ｌ字形バックボーンの最下端に位置している一点と、（ｉｉ）Ｌ字形バックボーンの水平部分上の一点と、（ｉｉｉ）後輪の一つのための支持体上の一点とをそれぞれ連結している三点から延びている。この構造体では、前記三角形を構成している部分の一つが硬くないまたは可撓性であって、三角形の頂点を構成している点の一つがその点と反対の三角形部分の回転軸の上にないという制約がある。図３に明らかなように、このような可撓性は、角にあるボールちょうつがいの近くの追加の線ちょうつがいによって供給される。従って、このガイド三角形は決して硬い構造体を構成しない。
【特許文献１】ＦＲ２．２５９．００１
【特許文献２】ＦＲ２．１６７．５９４
【発明の開示】
【発明が解決しようとする課題】
【０００７】
発明の主な目的は、この不具合を解決することであり、それは、簡単で高価でなく軽量な手段によって展開された状態において硬化される容易に折りたためる構造体を提供することによりなされる。
【課題を解決するための手段】
【０００８】
この目的のため、本発明は前述のタイプの折りたためる構造体に関しており、第一の関節または第二の関節は前記方向に二点の離れた関節を備えていて、これらの点において関節連結された展開三角形の辺は硬質ガイド三角形を構成し、それはこれらの二点と第三の関節とによって定められる。
【０００９】
本発明による構造体は下記の特徴の一以上を有し、単独または技術的に可能な組み合わせのすべてを取り得る。
【００１０】
硬質ガイド三角形は三つの辺部材を有し、前記辺部材の一つはちょうつがい軸と一致しており、ほかの二つの辺部材は互いに固定されている。
【００１１】
ガイド三角形の頂点により定まる表面はプレートなどの固体の表面である。
【００１２】
ガイド三角形の頂点により定まる表面は切り抜き表面である。
【００１３】
脚は展開三角形の第二の辺と一体化している。
【００１４】
脚は展開三角形の第三の辺または前記辺の延長線に関節連結されており、支持部は（ｉ）スライドブロックと（ｉｉ）脚の中間点との間に関節連結されている。
【００１５】
展開された状態において、支持部はガイド三角形の一部にもたれている。
【００１６】
少なくとも二本の折りたためる脚と可倒式硬化手段とを有し、これは、二本の脚に関節連結されていて、スライドブロックに関節連結された連結支持体の動作によって展開する。
【００１７】
硬化手段は、展開された状態において、ベビーカーシートを支持する、および／または、フットレストとして機能するようになっている。
【００１８】
スライドブロックはベビーカーバックレストを支持するようになっている。
【００１９】
前記方向は水平線に対して傾いており、前記方向は前記軸と９０°未満の角度を成している。
【００２０】
脚のおのおのに対して、上記特徴の一以上により定義される関節連結構造体を備えている。
【００２１】
好適には、棒（９）の一本以上が、スライドブロック（３）を中央直立部（１）に連結しているスプリング機構を有しており、構造体の展開またはその折りたたみがスライドブロック（３）の単純な解錠によって自動的になされる。
【発明を実施するための最良の形態】
【００２２】
以下、例示的な実施形態について添付図面と関連づけて説明する。
【００２３】
図１は、乳児を載せて運ぶのにふさわしい自己運搬式ベビーカーの二本の後ろ脚の展開を示している。
【００２４】
このベビーカーは、中央直立部１と、軸Ｘ−Ｘ’に沿って中央直立部１上をスライドするスライドブロック３と、二本の折りたためる脚５と、これらの脚の同時展開のための関節連結構造体７を備えている。
【００２５】
中央直立部１は軸Ｘ−Ｘ’に平行な二本の棒９を備えている。これらの棒９は、（ｉ）上端がハンドル１１によって、（ｉｉ）下端が支持部１３によって所定位置に保持されている。
【００２６】
ハンドル１１は、ほぼ卵形状の部分１４を備えている。この部分１４は、ベビーカーをとりわけ片手だけで容易に進めるのを可能にする三つの開口１５を有している。
【００２７】
スライドブロック３は軸Ｘ−Ｘ’に関する延在部を備えており、軸Ｘ−Ｘ’に平行に二つの中央穴１７が開けられている。中央直立部１のスロットの棒９がスライドブロック３の穴１７の中に入れられている。従って、スライドブロック３は、中央直立部１の棒９に沿ってハンドル１１と支持部１３の間を自由にスライドし得る。
【００２８】
スライドブロック３は施錠手段１８をさらに有しており、これは例えば摩擦ブレーキまたは掛け金機構で作られる。施錠手段１８は、スライドブロック３を、中央直立部１の棒９に沿ったそのストロークの遠端のいずれか一方に近い位置に留めることを可能にする。
【００２９】
さらに、二本の棒９は、スライドブロック３がスライド軸Ｘ−Ｘ’の周りに回転できなくする。
【００３０】
図１に示されるように、ベビーカーが展開された状態で地上に停止しているとき、軸Ｘ−Ｘ’は鉛直線に対して少し傾いている。
【００３１】
図１に示されたベビーカーの後ろ脚５のおのおのは車輪１９とその折りたためる構造体７を有している。
【００３２】
この折りたためる構造体７は、軸Ｘ−Ｘ’とは異なる方向Ｙ−Ｙ’に見て、第一の関節連結展開三角形２１を有している。この三角形２１は図１中に一点鎖線で描かれている。
【００３３】
展開三角形２１の第一の辺２２は中央直立部１に取り付けられている。それは、支持部１３上に位置している第一の関節２３とスライドブロック３上に位置している第二の関節２５とによって定められる。
【００３４】
展開三角形２１は、第二の関節２５によってスライドブロック３に関節連結された連結バー２７によって作られた第二の辺２６を備えている。
【００３５】
展開三角形の第三の辺２８は硬質プレート２９によって構成され、それは、第一の関節２３によって支持部１３に関節連結され、また第三の関節３１によって第二の関節２５に面している連結バー２７の外側に関節連結されている。
【００３６】
この硬質プレート２９は実質的に三角形の形をしている。それは、構造体の重量を減らすように切り取られている。
【００３７】
第一の関節２３は、支持部１３と硬質プレート２９を連結しており、ベビーカーが展開された状態で地上に停止しているときに水平線に対して少し傾いている方向に、つまり軸Ｙ−Ｙ’に沿って縦に延びているちょうつがい３３を備えている。
【００３８】
さらに、軸Ｙ−Ｙ’は軸Ｘ−Ｘ’と９０°未満の角度を成しており、ベビーカーの展開の際に軸Ｘ−Ｘ’に対する脚５の放射状の展開を可能にする。
【００３９】
このちょうつがい３３は、方向Ｙ−Ｙ’に離れた二つの関節連結点３５を備えている。これらの点３５は、硬質プレート２９の二つの頂点の近くに位置している。第三の関節３１はプレート２９の第三の頂点の近くに位置している。
【００４０】
構造体７のこの第一実施形態では、脚５は、展開三角形２１の第二の辺２６となっている連結バー２７の端部に一体化している。
【００４１】
次に、折りたたまれた状態から図１に示された展開された状態への構造体７の展開について述べる。
【００４２】
最初、スライドブロック３は施錠手段１８によってハンドル１１に近い高い位置に固定されている。
【００４３】
この状態では、展開三角形２１の第二の辺２６を作っている連結バー２７と展開三角形２１の第三の辺２８を作っている硬質プレート２９は中央直立部１の軸Ｘ−Ｘ’に実質的に平行に位置している。
【００４４】
従って、この状態では、展開三角形２１は平らになっている。連結バー２７の延長部に固定された脚５は、中央直立部１に近い折りたたまれた状態にある。
【００４５】
ベビーカーの後ろ脚を展開するために施錠手段１８が解放される。従ってスライドブロック３は軸Ｘ−Ｘ’に沿って支持部１３に向けて押される。移動が進むにつれ、第一の関節２３と第二の関節２５の間の距離は減少する。従って、（ｉ）展開三角形２１の第一の辺２２と第二の辺２６の角度と、（ｉｉ）展開三角形２１の第一の辺２２と第三の辺２８の角度との差が、実質的に増大する。第三の関節３１の近くに位置している展開三角形の頂点は中央直立部１から離れていく。この動きの間に、連結バー２７の延長部に固定された脚５が中央直立部１から離れる。
【００４６】
スライドブロック３が、支持部１３に近い低い位置に達したとき、つまり後者に接触したとき、施錠手段１８が始動され、脚５が展開された状態に留められる。
【００４７】
この状態では、硬質プレート２９は、脚５の展開三角形２１の支持を確実にし、またスライドブロックの移動軸Ｘ−Ｘ’に対する周囲硬さを確実にする。
【００４８】
図２ないし図５に示された本発明による第二の構造体７Ａは、ベビーカーの前脚５Ａのおのおのの展開を可能にする。この構造体７Ａは以下の点において上述した構造体７と異なっている。
【００４９】
図２に示されるように、展開三角形２１の第二の辺の連結バー２７と硬質プレート２９の間の第三の関節３１は、硬質プレート２９の中間点に位置している。
【００５０】
さらに、脚５Ａは、硬質プレート２９の頂点の近くに位置している第四の関節４１によって硬質プレート２９に関節連結されている。
【００５１】
折りたためる構造体７Ａはさらに脚５Ａのそれぞれに対して第二の連結バーで構成された支持部４３を備えており、これは、一端がスライドブロック３の点４４に、他端が関節４１の下方に位置している脚５Ａの中間点４５に関節連結されている。図２に示されるように、支持部４３は硬質プレート２９の穴４７を通っている。
【００５２】
この構造体７Ａは、（ｉ）第四の関節４１と脚５Ａの中間点４５と（ｉｉ）スライドブロック３の点４４とちょうつがい３３の中央とを頂点として持つ擬平行四辺形を作っている。
【００５３】
第一の構造体７とは異なり、この構造体７Ａは、折りたためる安全構造体のための支持手段４９と、可倒式硬化手段５１とを備えている。
【００５４】
支持手段４９は、脚５Ａのおのおのに対して、可撓性材料で作られた、細長い形態のブレード５３を備えている。
【００５５】
この可撓性ブレード５３は、一端が、スライドブロック３の上部の第一の点５４に固定され、他端が、脚５Ａとプレート３９の間の関節連結点４１に近い脚５Ａの上端部にある第二の点５５に固定されている。可撓性ブレード５３の長さは、スライドブロック３がハンドル１１の近くに位置するときの二つの固定点を離している距離に実質的に等しい。従って、ベビーカーが折りたたまれるとき、可撓性ブレード５３は、図３に示されるように、軸Ｘ−Ｘ’にほぼ平行に、直線的状態に、中央直立部１の近くにくる。
【００５６】
図２に示されるように、硬化手段５１は折りたためる棒６１と中央連結部６２を備えている。
【００５７】
この折りたためる棒６１は、第一の端部の近くのちょうつがい６５によって互いに関節連結された二本の腕６３を備えている。腕６３のおのおののちょうつがい６５の反対側の端部はそれぞれ二本の対向している脚５Ａに関節連結されている。折りたためる棒６１の脚５Ａへの関節連結点は車輪１９の近くに配置されていて、ベビーカーが展開された状態で地上に停止しているときに水平横断方向を定める。
【００５８】
連結器６２は二つの関節連結ブレード６７と６９で構成された一対のコンパスを備えている。第一のブレード６７は、（ｉ）折りたためる棒６１の中央ちょうつがい６５と、（ｉｉ）支持部１３とに関節連結されている。
【００５９】
第二のブレード６９は、一端が第一のブレード６７の中間点に、他端がスライドブロック３に関節連結されている。
【００６０】
第二の構造体７Ａの動作は第一の構造体７の動作に似ており、その相違について以下に述べる。
【００６１】
スライドブロック３の支持部１３に向かう動きは、展開三角形２１の作用により、中央直立部１から離れる脚５Ａの動きを作り出す。この動きの間、構造体７Ａの疑平行四辺形の形状は脚５Ａの軸が軸Ｘ−Ｘ’にほぼ平行に保持されるのを可能にしており、これは展開された脚の機械的抵抗に好都合である。
【００６２】
展開された状態では、構造体の硬さを高めるため、支持部４３が穴４７の縁に押し付けられている。
【００６３】
構造体７Ａの幾何学的形状は、（ｉ）脚５Ａとプレート３９の間の関節点４１の軸Ｘ−Ｘ’に対する側方不整列と、（ｉｉ）ハンドル１１と支持部１３の間のスライドブロック３のストローク長さとの比を１未満にするのを可能にする。ベビーカーを展開するとき、スライドブロック３が支持部１３の近くにあるときに可撓性ブレード５３の固定点を離している距離は、スライドブロック３がハンドル１１の近くにあるときにそれらの点を離してる距離より短い。これらの二つの距離の比は一般に０.８５と０.９５の間にあり、好ましくは０.８８と０.９２の間にある。
【００６４】
従って、ベビーカーが展開されるとき、可撓性ブレード５３は、図２に示されるように、著しく曲がった状態になる。この状態は、後述するように、安全構造体の展開が可撓性ブレード５３によって支持されるのを可能にする。
【００６５】
さらに、第一の構造体７とは異なり、図３に示されるように、折りたためる棒６１は初期状態で折りたたまれた状態にある。スライドブロック３の支持部１３に向かう動きは、中央直立部１から離れる連結器６２の二つのブレード６７と６９の間の関節の動きを作り出す。従って、連結器６２の第一のブレード６７は、中央直立部１から離れる折りたためる棒６１の中央ちょうつがい６５の動きを作り出す。スライドブロック３が支持部１３に接近または接触するとき、折りたためる棒６１は展開されて、軸Ｘ−Ｘ’に対する二つの脚５の周囲硬さを高めるため、硬いフレーム構造体が得られる。
【００６６】
この状態では、折りたためる棒６１は乳児の足の置き場になる。さらに、二本の脚５Ａの間にストラップ７０が第一の折りたためる棒６１に平行に固定されていて、ベビーカーシートの支持を可能にしている。
【００６７】
あるいは、図４に示されるように、棒６１と同様の第二の折りたためる棒７１が脚５に第一の折りたためる棒６１と平行に関節連結されてもよい。
【００６８】
連結器６２は、（ｉ）第二の折りたためる棒７１の中央ちょうつがい７５と、（ｉｉ）連結器６２の第一のブレード６７の中間点または直接ちょうつがい６５とに関節連結された第三の棒７３を備えている。
【００６９】
さらに、この第二の折りたためる棒７１の展開は第一の折りたためる棒６１の展開とまったく同じである。展開された状態において、この第二の折りたためる棒７１はベビーカーシートを支持するものとなる。
【００７０】
（図示しない）別の代替案では、硬質プレート２９を二本腕のフォークに置き換えることにより構造体を軽量化してもよい。この場合、二つの関節連結点３５は二本の腕に面している端部の近くに配置され、第三の関節３１はフォークの二本の腕の共通端部の近くに配置される。
【００７１】
反対に、軽さよりも硬さが好まれるときは、硬質プレート２９は中実としてもよく、二つの関節連結点３５と第三の関節３１とにより定まる表面は支持部４３が通る穴４７を除いて中実である。
【００７２】
最後に、（図示しない）別の代替案では、展開三角形の第二の辺はスライドブロックに関節連結された硬質プレートによって作られる。この場合、展開三角形の第三の辺は、支持部を硬質プレートに連結している単純な連結バーで構成される。
【００７３】
図５は、図４の代替案による、シート８１を備えた自己運搬式ベビーカーを示している。シートは、（ｉ）第二の折りたためる棒７１と（ｉｉ）スライドブロック３上の固定手段（図示しない）とによって支持されている。
【００７４】
さらに、ベビーカーのバックレスト８３はスライドブロック３に固定されている。乳児のための保護カバー８５が、二つの可撓性ブレード５３によって、また二つの同様の可撓性ブレード８６によって、スライドブロック３の上部と後ろ脚５との間にぴったり合って支持されている。カバー８５は二つの側方カバー８７を備えており、そのおのおのは対応するブレード５３と８６に沿って固定されている。後部カバー（図示しない）がブレード８６の間に固定されており、乳児の保護を完全にしている。あるいは、折り畳み式で取り外し可能な前側保護フードまたは収納構造体などのアクセサリーがベビーカーに固定されてもよい。
【００７５】
（図示しない）別の代替案では、スライドブロック３を中央直立部１に連結しているスプリング機構を棒９の一以上に追加し、スライドブロック３を単に解錠することによって、構造体の展開（または反対にその折りたたみ）が自動的になされるようにすることも可能である。
【００７６】
これまで述べた本発明のおかげで、容易に折りたためる構造体を有している構造体を得ることが可能である。この構造体はまた、実行が簡単で高価でなく軽量な手段を使用して、展開された状態において、（ベビーカーの場合には）車輪を支えている脚の周囲硬さを確実にするという利点を有している。
【００７７】
中央ハンドル１４はこのような構造体に容易に適用され、自己運搬式ベビーカーを容易に操縦することを可能にする。
【００７８】
このタイプのシステムは、ほかのタイプの構造体に容易に適用することができ、それは、二重のベビーカー、おもちゃベビーカー、乳児用食事椅子、折り畳み式の椅子、身体的に損なわれた人々のための車椅子、そのほかの自己運搬式ワゴン、例えばゴルフカートを含むがこれらに限定されるものではない。
【図面の簡単な説明】
【００７９】
【図１】ベビーカーの後ろ側の、展開された状態における本発明によるシートの第一の構造体の斜視図である。
【図２】ベビーカーの前側の、展開された状態における本発明によるシートの第二の構造体の斜視図である。
【図３】構造体が折りたたまれた状態にある、図２と同様の図である。
【図４】第二の構造体の展開された状態にある硬化手段の詳細図である。
【図５】保護カバーを取り付けたベビーカーの前側斜視図である。
【符号の説明】
【００８０】
１…中央直立部、３…スライドブロック、５…後ろ脚、５Ａ…前脚、７…関節連結構造体、７Ａ…構造体、９…棒、１１…ハンドル、１３…支持部、１４…中央ハンドル、１５…開口、１７…穴、１８…施錠手段、１９…車輪、２１…展開三角形、２２…辺、２３…関節、２５…関節、２６…辺、２７…連結バー、２８…辺、２９…硬質プレート、３１…関節、３５…関節連結点、３９…プレート、４１…関節、４３…支持部、４４…点、４５…中間点、４７…穴、４９…支持手段、５１…可倒式硬化手段、５３…可撓性ブレード、５４…第一の点、５５…第二の点、６１…棒、６２…連結器、６３…腕、６７…関節連結ブレード、６９…関節連結ブレード、７０…ストラップ、７１…棒、７３…棒、８１…シート、８３…バックレスト、８５…保護カバー、８６…可撓性ブレード、８７…側方カバー。
【図１】
2006514903.tif 000003
【図２】
2006514903.tif 000004
【図３】
2006514903.tif 000005
【図４】
2006514903.tif 000006
【図５】
2006514903.tif 000007
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
赤ん坊や乳児の乗り物を含むがこれに限定されるものではない、折りたためる構造体であって、
直立部（１）と、
軸（Ｘ−Ｘ’）に沿って直立部（１）上をスライドするスライドブロック（３）であって、軸の周りの回転が防止されているスライドブロック（３）と、
直立部に近い折りたたまれた状態から、直立部（１）から離れた展開された状態に展開される、少なくとも一本の折りたためる脚（５,５Ａ）と、
脚の展開のための関節連結構造体（７,７Ａ）とを備えており、これは、前記軸（Ｘ−Ｘ’）と異なる方向（Ｙ−Ｙ’）に見て、関節連結展開三角形（２１）を備えており、この展開三角形（２１）は、
直立部（１）上に位置している第一の関節（２３）とスライドブロック（３）の一点に位置している第二の関節（２５）との間において直立部（１）に取り付けられた第一の辺（２２）と、
第二の関節（２５）によってスライドブロック（３）に関節連結された第二の辺（２６）と、
第一の関節（２３）によって直立部（１）に関節連結され、また第三の関節（３１）によって第二の辺（２６）に関節連結された第三の辺（２８）とを備えており、第一の関節（２３）または第二の関節（２５）は方向（Ｙ−Ｙ’）に二つの別の関節連結点（３５）を有し、これらの点（３５）において関節連結された展開三角形（２１）の辺（２８,２６）は硬質ガイド三角形（２９）を構成しており、それはこれらの二点（３５）と第三の関節（３１）とによって定められる。
【請求項２】
請求項１に記載の構造体において、硬質ガイド三角形（２９）は三つの辺部材を有し、前記辺部材の一つは前記方向（Ｙ−Ｙ’）に従うちょうつがい軸と一致し、ほかの二つの辺部材は互いに固定されている。
【請求項３】
請求項１または２に記載の構造体において、ガイド三角形（２９）の頂点（３５,３１）により定まる表面はプレート（２９）などの固体の表面である。
【請求項４】
請求項１または２に記載の構造体において、ガイド三角形（２９）の頂点（３５,３１）により定まる表面は切り抜き表面である。
【請求項５】
請求項１ないし４のいずれか一つに記載の構造体において、脚（５）は展開三角形（２１）の第二の辺と一体化している。
【請求項６】
請求項１ないし４のいずれかに記載の構造体において、脚（５Ａ）は展開三角形（２１）の第三の辺（２８）にまたはこの辺（２８）の延長線に関節連結されており、支持部（４３）は（ｉ）スライドブロック（３）と（ｉｉ）脚の中間点（５Ａ）との間に関節連結されている。
【請求項７】
請求項６に記載の構造体において、展開された状態において、支持部（４３）はガイド三角形（２９）の一部の上にもたれている。
【請求項８】
請求項１ないし７のいずれか一つに記載の構造体において、少なくとも二本の折りたためる脚（５Ａ）を備えており、さらに可倒式硬化手段（５１）を備え、これは、二本の脚（５Ａ）に関節連結されていて、スライドブロック（３）に関節連結された連結支持体（６２）の動作によって折りたためる。
【請求項９】
請求項８に記載の構造体において、硬化手段（５１）は、展開された状態において、ベビーカーシート（８１）を支持する、および／または、フットレストとして機能するようになっている。
【請求項１０】
請求項８に記載の構造体において、スライドブロック（３）はベビーカーバックレスト（８３）を支持するようになっている。
【請求項１１】
請求項１ないし１０のいずれか一つに記載の構造体において、前記方向（Ｙ−Ｙ’）は水平線に対して傾いており、前記方向（Ｙ−Ｙ’）は前記軸（Ｘ−Ｘ’）と９０°未満の角度を成している。
【請求項１２】
請求項１ないし１０のいずれか一つに記載の構造体において、棒（９）の一本以上が、スライドブロック（３）を中央直立部（１）に連結しているスプリング機構を有しており、構造体の展開またはその折りたたみがスライドブロック（３）の単純な解錠によって自動的になされる。
【請求項１３】
折りたためる構造体であり、脚（５、５Ａ）のおのおのに対して、脚の展開のための関節連結構造体（７,７Ａ）を備えており、これは、前記軸（Ｘ−Ｘ’）と異なる方向（Ｙ−Ｙ’）に見て、関節連結展開三角形（２１）を備えており、この展開三角形（２１）は、
直立部（１）上に位置している第一の関節（２３）とスライドブロック（３）の一点に位置している第二の関節（２５）との間において直立部（１）に取り付けられた第一の辺（２２）と、
第二の関節（２５）によってスライドブロック（３）に関節連結された第二の辺（２６）と、
第一の関節（２３）によって直立部（１）に関節連結され、また第三の関節（３１）によって第二の辺（２６）に関節連結された第三の辺（２８）とを備えており、第一の関節（２３）または第二の関節（２５）は方向（Ｙ−Ｙ’）に二つの別の関節連結点（３５）を有し、これらの点（３５）において関節連結された展開三角形（２１）の辺（２８,２６）は硬質ガイド三角形（２９）を構成しており、それはこれらの二点（３５）と第三の関節（３１）とによって定められる。
【国際調査報告】
2006514903.tif 000008
2006514903.tif 000009
2006514903.tif 000010